(57)【要約】【課題】  蓋を嵌合した際に安定化した電気的接触が得られるようにする。【解決手段】  シールドケース１は、回路が組まれる基板を収納している第１収納室１０および第２収納室１１を有している。第１収納室１０の上面の開口は第１蓋部２０で閉塞され、第２収納室１１の後面の開口は第２蓋部２１で閉塞されている。第１蓋部２０は、第１収納室１０の上面の開口に圧入され、さらに、カシメ部２２でカシメられており、第２蓋部２１は、第２収納室１０の後面の開口に圧入され、さらに、カシメ部２３でカシメられている。【選択図】  図１
2015088596.tif 000002
【特許請求の範囲】
【請求項１】
入力端子と、少なくとも１つの出力端子と、前記入力端子から入力された信号を前記出力端子から出力するための回路が収納される収納室を備えるシールドケースであって、
前記収納室の開口に嵌合される蓋部を備えており、
前記蓋部が前記開口を閉塞するように前記開口に嵌合されると共に、前記蓋部の縁部に形成されたカシメ代が前記開口の縁部にカシメられることを特徴とするシールドケース。
【請求項２】
前記蓋部の長手方向のほぼ中央部に突起が形成されていると共に、前記開口の縁部に切欠が形成されており、前記突起が前記切欠にカシメられることを特徴とする請求項１に記載のシールドケース。
【発明の詳細な説明】
【技術分野】
【０００１】
本発明は、屋内の壁面等に設置され屋内のテレビ受信機等にテレビ信号等を供給する直列ユニットに適用して好適なシールドケースに関する。
【背景技術】
【０００２】
直列ユニットは、一般に屋内の壁面に埋め込まれた箱状のボックスに取り付けて使用する。直列ユニットは、屋内のテレビ受信機等と同軸ケーブルで接続するための出力用の同軸端子と、壁の内部空間に配置されたアンテナ等からの信号を導く同軸ケーブルが接続される入力用の同軸端子とが設けられたシールドケースを備えている。シールドケースは、入力用の同軸端子から入力された信号を出力端子から出力するための回路が組まれた基板が内蔵されており、基板には必要に応じて分配回路等が組み込まれている。
【０００３】
直列ユニットが備える従来のシールドケース１００の構成を図２６ないし図２９に示す。図２６（ａ）（ｂ）は従来のシールドケース１００の構成を示す正面図、上面図であり、図２７は従来のシールドケース１００の構成を示す背面図であり、図２８（ａ）（ｂ）は従来のシールドケース１００の構成をＥ−Ｅ線断面図で示す側面図、ｅ部拡大図であり、図２９（ａ）（ｂ）は従来のシールドケース１００の構成をＦ−Ｆ線断面図で示す下面図、ｆ部拡大図である。
図２６ないし図２９に示す従来のシールドケース１００は金属製とされ、上部に横長とされた直方体形状の第１収納室１１０と、中央部から下部にかけて縦長の直方体形状の第２収納室１１１とを備え、第２収納室１１１の下部の前面に平板状の下部前面部１１１ｃが形成されている。第１収納室１１０は前面が上部前面部１１０ｃとされ、下面と、下面から立ち上がる壁部１１０ａとからなり、上面は開口されている。また、第２収納室１１１は壁部１１１ａを備え後面が開口されている。従来のシールドケース１００における上部前面部１１０ｃと前記下部前面部１１１ｃからは同軸端子とされている第１出力端子１２５と第２出力端子１２６とがそれぞれ前方へ突出するよう設けられている。
【０００４】
従来のシールドケース１００の上部前面部１１０ｃおよび下部前面部１１１ｃの両側にはコ字状の形状とされた係合部１１０ｆが縦方向に一対ずつ形成されている。この係合部１１０ｆは矩形状の縦長の係合孔を有しており、シールドケース１００の前面に取り付けられる図示しない端子台が着脱自在に係合部１１０ｆに固着される。また、第１収納室１１０の上部前面部１１０ｃの両側には所定深さの断面が矩形状とされた挿入孔１１０ｄが形成されており、下部前面部１１１ｃの後面であって第２収納室１１１の下部の両側に挿入部１１１ｅがそれぞれ形成されている。挿入部１１１ｅには、挿入孔１１０ｄと同形状の挿入孔が形成されている。さらに、第１収納室１１０の下面からは同軸端子とされている入力端子１２４が下方へ突出するよう設けられている。図２８（ａ）に示すように、第１収納室１１０と第２収納室１１１とは連通しており、第１収納室１１０には第１基板１２７ａが、第２収納室１１１には第２基板１２７ｂが内蔵されている。第１基板１２７ａと第２基板１２７ｂには、入力端子１２４から入力された信号を２分配する分配回路と、この分配回路で２分配された信号をそれぞれ第１出力端子１２５および第２出力端子１２６から出力するための回路が設けられている。第１収納室１１０の上面の開口には、開口を閉塞するように第１蓋部１２０が第１収納室１１０の上面に嵌合され、第２収納室１１１の後面の開口には、開口を閉塞するように第２蓋部１２１が第２収納室１１１の後面に嵌合されている。
【０００５】
第１蓋部１２０の構成を図３０に示す。図３０（ａ）（ｂ）（ｃ）（ｄ）は第１蓋部１２０の構成を示す上面図、側面図、正面図、背面図である。これらの図に示すように、金属製とされた第１蓋部１２０は平板状の本体部１２０ａからなり、本体部１２０ａは第１収納室１１０の上面の開口の大きさとほぼ同じ大きさの外形形状とされている。すなわち、本体部１２０ａの前面からは横長の矩形状とされた突部１２０ｂが突出して形成され、後側の角部は面取りされている。この第１蓋部１２０が、第１収納室１１０の上面に嵌合されるが、壁部１１０ａの上端は図２８（ｂ）に示すように厚みが薄くされて段差部が形成されている。第１蓋部１２０を第１収納室１１０の上面に圧入した際に、段差部に第１蓋部１２０の下面の周囲が当接して嵌合部１２２が構成されるようになる。
【０００６】
また、第２蓋部１２１の構成を図３１に示す。図３１（ａ）（ｂ）（ｃ）は第２蓋部１２１の構成を示す正面図、上面図、側面図である。これらの図に示すように、金属製とされた第２蓋部１２１は細長い矩形状の本体部１２１ａからなり、本体部１２１ａは第２収納室１１１の後面の開口の大きさとほぼ同じ大きさの縦長の矩形状とされている。この第２蓋部１２１が、第２収納室１１１の後面に嵌合されるが、壁部１１１ａの上端は図２９（ｂ）に示すように厚みが薄くされて段差部が形成されている。第２蓋部１２１を第２収納室１１１の後面に圧入した際に、段差部に第２蓋部１２１の下面の周囲が当接して嵌合部１２３が構成されるようになる。
【先行技術文献】
【特許文献】
【０００７】
【特許文献１】特開２０１２−８９３２６号公報
【特許文献２】特開平１０−１８９１６１号公報
【発明の概要】
【発明が解決しようとする課題】
【０００８】
従来のシールドケース１００においては、前述したように第１蓋部１２０を第１収納室１１０の上面に嵌合すると共に、第２蓋部１２１を第２収納室１１１の後面に嵌合することにより、シールドケース１００をシールドするようにしている。第１蓋部１２０および第２蓋部１２１は、圧入することにより第１収納室１１０および第２収納室１１１に嵌合されているが、圧入した際に第１蓋部１２０あるいは第２蓋部１２１と第１収納室１１０あるいは第２収納室１１１の開口との間に隙間ができ易く、電気的接触が不安定になってシールドの効果が低下するという問題点があった。
【０００９】
そこで、本発明は、蓋を嵌合した際に安定化した電気的接触が得られるようにして、シールドの効果を向上するようにしたシールドケースを提供することを目的としている。
【課題を解決するための手段】
【００１０】
本発明にかかるシールドケースは、入力端子と、少なくとも１つの出力端子と、前記入力端子から入力された信号を前記出力端子から出力するための回路が収納される収納室を備えるシールドケースであって、前記収納室の開口に嵌合される蓋部を備えており、前記蓋部が前記開口を閉塞するように前記開口に嵌合されると共に、前記蓋部の縁部に形成されたカシメ代が前記開口の縁部にカシメられることを最も主要な特徴としている。
【発明の効果】
【００１１】
本発明のシールドケースでは、収納室の開口に蓋部が嵌合される際に、蓋部の縁部に形成されたカシメ代が開口の縁部にカシメられることから、蓋部や開口が細長い形状とされていても、蓋部が開口から浮くことを防止することができる。これにより、蓋部と開口との電気的接触が安定化して、シールドの効果を向上することができるようになる。
【図面の簡単な説明】
【００１２】
【図１】本発明の実施例にかかるシールドケースの構成を示す前方斜視図、後方斜視図である。
【図２】本発明の実施例にかかるシールドケースの構成を示す後方斜め下から見た斜視図、正面図である。
【図３】本発明の実施例にかかるシールドケースの構成を示す上面図、背面図である。
【図４】本発明の実施例にかかるシールドケースの構成をＡ−Ａ線断面図で示す側面図、ａ部拡大図である。
【図５】本発明の実施例にかかるシールドケースの構成をＢ−Ｂ線断面図で示す下面図、ｂ部拡大図である。
【図６】本発明の実施例にかかるシールドケースの構成を分解して示す前方斜視図、後方斜視図である。
【図７】本発明の実施例のシールドケースにおける第１蓋部の構成を示す前方斜視図、後方斜視図、上面図、側面図、正面図、背面図である。
【図８】本発明の実施例のシールドケースにおける第２蓋部の構成を示す前方斜視図、後方斜め下から見た斜視図、正面図、側面図、上面図である。
【図９】本発明の実施例のシールドケースにおいて、第１蓋部および第２蓋部を取り外した構成を示す前方斜視図、後方斜視図である。
【図１０】本発明の実施例のシールドケースにおいて、第１蓋部および第２蓋部を取り外した構成を示す後方斜め下から見た斜視図、正面図である。
【図１１】本発明の実施例のシールドケースにおいて、第１蓋部および第２蓋部を取り外した構成を示す上面図、背面図である。
【図１２】本発明の実施例のシールドケースにおいて、第１蓋部および第２蓋部を取り外した構成をＣ−Ｃ線断面図で示す側面図、ｃ部拡大図である。
【図１３】本発明の実施例のシールドケースにおいて、第１蓋部および第２蓋部を取り外した構成をＤ−Ｄ線断面図で示す下面図、ｄ部拡大図である。
【図１４】本発明の実施例のシールドケースと従来のシールドケースとの不要放射電界強度を比較して示す図である。
【図１５】本発明の実施例のシールドケースと従来のシールドケースとの不要放射電界強度を比較して示す他の図である。
【図１６】本発明の実施例のシールドケースと従来のシールドケースとの不要放射電界強度を比較して示すさらに他の図である。
【図１７】本発明の実施例のシールドケースと従来のシールドケースとの不要放射電界強度を比較して示すさらに他の図である。
【図１８】本発明の実施例のシールドケースと従来のシールドケースとの不要放射電界強度を比較して示すさらに他の図である。
【図１９】本発明の実施例のシールドケースと従来のシールドケースとの不要放射電界強度を比較して示すさらに他の図である。
【図２０】本発明の実施例のシールドケースと従来のシールドケースとの不要放射電界強度を比較して示すさらに他の図である。
【図２１】本発明の実施例のシールドケースと従来のシールドケースとの不要放射電界強度を比較して示すさらに他の図である。
【図２２】本発明の実施例のシールドケースと従来のシールドケースとの不要放射電界強度を比較して示すさらに他の図である。
【図２３】本発明の実施例のシールドケースと従来のシールドケースとの不要放射電界強度を比較して示すさらに他の図である。
【図２４】本発明の実施例のシールドケースと従来のシールドケースとの不要放射電界強度を比較して示すさらに他の図である。
【図２５】本発明の実施例のシールドケースと従来のシールドケースとの不要放射電界強度を比較して示すさらに他の図である。
【図２６】従来のシールドケースの構成を示す正面図、上面図である。
【図２７】従来のシールドケースの構成を示す背面図である。
【図２８】従来のシールドケースの構成をＥ−Ｅ線断面図で示す側面図、ｅ部拡大図である。
【図２９】従来のシールドケースの構成をＦ−Ｆ線断面図で示す側面図、ｆ部拡大図である。
【図３０】従来のシールドケースにおける第１蓋部の構成を示す上面図、側面図、正面図、背面図である。
【図３１】従来のシールドケースにおける第２蓋部の構成を示す正面図、上面図、側面図である。
【発明を実施するための形態】
【００１３】
直列ユニットに備えられる本発明の実施例のシールドケース１の構成を図１ないし図６に示す。図１（ａ）（ｂ）は本発明にかかるシールドケース１の構成を示す前方斜視図、後方斜視図であり、図２（ａ）（ｂ）は本発明の実施例にかかるシールドケース１の構成を示す後方斜め下から見た斜視図、正面図であり、図３（ａ）（ｂ）は本発明の実施例にかかるシールドケース１の構成を示す上面図、背面図であり、図４（ａ）（ｂ）は本発明の実施例にかかるシールドケース１の構成をＡ−Ａ線断面図で示す側面図、ａ部拡大図であり、図５（ａ）（ｂ）は本発明の実施例にかかるシールドケース１の構成をＢ−Ｂ線断面図で示す下面図、ｂ部拡大図であり、図６（ａ）（ｂ）は本発明の実施例にかかるシールドケース１の構成を分解して示す前方斜視図、後方斜視図である。
本発明にかかるシールドケース１は金属製とされており、図１ないし図６に示すように、上部に横長とされた直方体形状の第１収納室１０と、中央部から下部にかけて縦長の直方体形状の第２収納室１１とを備え、第１収納室１０の上面に第１蓋部２０が嵌合され、第２収納室１１の後面に第２蓋部２１が嵌合されて構成されている。
【００１４】
まず、本発明にかかるシールドケース１において第１蓋部２０および第２蓋部２１を取り外した構成を図９ないし図１３を参照しながら説明する。図９（ａ）（ｂ）は本発明にかかるシールドケース１において第１蓋部２０および第２蓋部２１を取り外した構成を示す前方斜視図、後方斜視図であり、図１０（ａ）（ｂ）は本発明にかかるシールドケース１において第１蓋部２０および第２蓋部２１を取り外した構成を示す後方斜め下から見た斜視図、正面図であり、図１１（ａ）（ｂ）は本発明にかかるシールドケース１において第１蓋部２０および第２蓋部２１を取り外した構成を示す上面図、背面図であり、図１２（ａ）（ｂ）は本発明にかかるシールドケース１において第１蓋部２０および第２蓋部２１を取り外した構成をＣ−Ｃ線断面図で示す側面図、ｃ部拡大図であり、図１３（ａ）（ｂ）は本発明にかかるシールドケース１において第１蓋部２０および第２蓋部２１を取り外した構成をＤ−Ｄ線断面図で示す下面図、ｄ部拡大図である。
【００１５】
これらの図に示すように、第１蓋部２０および第２蓋部２１を取り外した本発明にかかるシールドケース１は金属をモールドすることにより作成されている。第１収納室１０の前面である上部前面部１０ｃと、下面と、下面から立設された壁部１０ａとからなる箱状とされ、上面が開口されると共に横長とされた直方体形状の第１収納室１０が上部に形成されている。また、中央部から下部にかけて形成された壁部１１ａにより縦長の直方体形状とされると共に後面が開口された箱状の第２収納室１１が形成されている。第２収納室１１の下部の前面には、平板状の下部前面部１１ｃが形成されている。上部前面部１０ｃと下部前面部１１ｃのほぼ中央部分からは同軸端子を構成するための第２円筒部１０ｅと第３円筒部１１ｄとがそれぞれ前方へ突出するよう設けられている。
【００１６】
本発明にかかるシールドケース１の上部前面部１０ｃおよび下部前面部１１ｃであって、第２円筒部１０ｅの両側と第３円筒部１１ｄの両側にはコ字状の形状とされた係合部１０ｆが縦方向に一対ずつ形成されている。この係合部１０ｆは矩形状の縦長の係合孔を有しており、係合部１０ｆには、シールドケース１の前面に取り付けられる図示しない端子台が着脱自在に係合される。また、上部前面部１０ｃの後面の両側には所定深さの断面が矩形状とされた挿入孔１０ｄがそれぞれ形成されており、下部前面部１１ｃの後面であって第２収納室１１の下部の両側に挿入部１１ｅがそれぞれ形成されている。挿入部１１ｅには、挿入孔１０ｄと同形状の挿入孔が形成されている。１対の挿入孔１０ｄには、シールドケース１を備える直列ユニットを壁面や壁面に埋め込まれたボックスに取り付けるための図示しない板状の取付部材の足部が着脱自在に嵌着される挿入孔とされ、１対の挿入部１１ｅは上記した取付部材の足部が着脱自在に嵌着される挿入部とされる。この取付部材には、壁面やボックスに取り付ける際に使用する長孔とされた挿通孔とネジ孔とが形成されている。
【００１７】
さらに、第１収納室１０の下面からは同軸端子を構成するための第１円筒部１０ｂが下方へ突出するよう設けられている。図１２（ａ）に示すように、第１収納室１０の奥と第２収納室１１の上部とは連通しており、第１収納室１０および第２収納室１１には基板を取り付けるための複数のボスが立設されている。
図９（ａ）、図１２（ｂ）に示すように第１収納室１０における壁部１０ａの上端は厚さが薄くされて段差部が形成されており、第１収納室１０の後面を形成する壁部１０ａの上端のほぼ中央の縁部に矩形状の切欠１０ｇが形成されている。また、図９（ｂ）、図１３（ｂ）に示すように第２収納室１１における壁部１１ａの端部は厚さが薄くされて段差部が形成されており、第２収納室１１の両側面を形成する壁部１１ａの縁部のほぼ中央に矩形状の切欠１１ｂがそれぞれ形成されている。
【００１８】
次に、第１蓋部２０の構成を図７を参照しながら説明する。図７（ａ）（ｂ）（ｃ）（ｄ）（ｅ）（ｆ）は第１蓋部２０の構成を示す前方斜視図、後方斜視図、上面図、側面図、正面図、背面図である。第１蓋部２０は金属板を加工して作成され、これらの図に示すように第１蓋部２０は平板状の本体部２０ａからなる。本体部２０ａは第１収納室１０の上面の開口の大きさとほぼ同じ大きさの外形形状とされている。すなわち、本体部２０ａの前縁からは横長の矩形状とされた突部２０ｂが突出して形成され、後側の角部は面取りされている。また、後縁のほぼ中央に小さな矩形状の突起２０ｃがカシメ代として形成されている。
【００１９】
また、第２蓋部２１の構成を図８に示す。図８１（ａ）（ｂ）（ｃ）（ｄ）（ｅ）は第２蓋部２１の構成を示す斜視図、後方斜め下から見た斜視図、正面図、上面図、側面図である。第２蓋部２１は金属板を加工して作成され、これらの図に示すように第２蓋部２１は細長い矩形状とされた平板状の本体部２１ａからなる。本体部２１ａは第２収納室１１の後面の開口の大きさとほぼ同じ大きさの縦長の矩形状とされている。また、本体部２１ａの長手方向の両辺のほぼ中央の縁部に、それぞれ小さな矩形状の突起２１ｃがカシメ代として形成されている。
【００２０】
次に、本発明にかかるシールドケース１の組み立てについて図６を参照しながら説明する。本発明にかかるシールドケース１を組み立てる際には、図６（ａ）（ｂ）に示すように第１蓋部２０を第１収納室１０の上面に配置すると共に、第２蓋部２１を第２収納室１１の後面に配置する。これに先立って、第１円筒部１０ｂ、第２円筒部１０ｅおよび第３円筒部１１ｄ内に中心コンタクトと、中心コンタクトをほぼ中心に保持するための絶縁性の筒状体とを装着して入力端子２４、第１出力端子２５および第２出力端子２６を組み立てる。さらに、第１収納室１０の内部に起立された複数のボスを利用して第１基板２７ａを取り付けると共に、第２収納室１１の内部に起立された複数のボスを利用して第２基板２７ｂを取り付ける。次いで、入力端子２４、第１出力端子２５および第２出力端子２６の中心コンタクトの後端である接続片を第１基板２７ａと第２基板２７ｂとにハンダ付け等により電気的に接続する。この状態が図４（ａ）に示されており、第１基板２７ａと第２基板２７ｂとには入力端子２４から入力された信号を２分配する分配回路と、分配回路で分配された信号を第１出力端子２５および第２出力端子２６とから出力するための回路が組まれている。
【００２１】
この状態において、第１蓋部２０を第１収納室１０の上面に嵌合する。前述したように第１収納室１０の壁部１０ａの上端は厚みが薄くされて段差部が形成されている。そこで、第１蓋部２０を第１収納室１０の上面に圧入していくと、段差部に第１蓋部２０の下面の周囲が当接して嵌合されるようになる。この際に、突起２０ｃがカシメ部２２に嵌入され、嵌入された突起２０ｃをカシメ部２２にカシメ加工する。カシメ加工により図４（ｂ）に示すように突起２０ｃが折曲されてカシメ部２２が形成され、これにより、第１蓋部２０と第１収納室１０との嵌合部において電気的接触が確実に行われるようになる。
さらに、第２蓋部２１を第２収納室１１の上面に嵌合する。前述したように第２収納室１１の壁部１１ａの上端は厚みが薄くされて段差部が形成されている。そこで、第２蓋部２１を第２収納室１１の後面に圧入していくと、段差部に第２蓋部２１の下面の周囲が当接して嵌合されるようになる。この際に、突起２１ｃのそれぞれがカシメ部２３にそれぞれ嵌入され、嵌入された突起２１ｃをカシメ部２３にそれぞれカシメ加工する。カシメ加工により図５（ｂ）に示すように突起２１ｃがそれぞれ折曲されてカシメ部２３が形成され、これにより、第２蓋部２１と第２収納室１１との嵌合部において電気的接触が確実に行われるようになる。
【００２２】
このようにして本発明にかかるシールドケース１が組み立てられ、その構成が図１ないし図５に示されている。本発明にかかるシールドケース１の構成は前述した通りであるので省略するが、本発明にかかるシールドケース１においては、入力端子２４にはアンテナ等からの信号を導く同軸ケーブルを接続し、第１出力端子２５あるいは第２出力端子２６に屋内のテレビ受信機等に一端が接続された同軸ケーブルの他端を接続する。これにより、テレビ受信機においてテレビ放送を視聴することができるようになる。
【００２３】
本発明にかかるシールドケース１においては、第１蓋部２０および第２蓋部２１が第１収納室１０および第２収納室１１に嵌合された際にカシメ加工をしている。このカシメ加工によるシールドの効果を図１４ないし図２５に示す。図１４ないし図２５においては、本発明のシールドケース１と従来のシールドケース１００の６面における不要放射の水平偏波成分、垂直偏波成分の電界強度を示しており、従来のシールドケース１００の特性が破線で示され、本発明にかかるシールドケース１の特性が実線で示されている。この場合、本発明のシールドケース１にあっては入力端子２４に、従来のシールドケース１００にあっては入力端子１２４に入力レベルが約１１０ｄＢμＶのＲＦ信号を入力している。なお、点線で示すラインは規定値である。
図１４はシールドケース１，１００の正面における水平偏波成分の不要放射電界強度を示している。図１４を参照すると、従来のシールドケース１００および本発明にかかるシールドケース１においては規定値である約３４ｄＢを満足しているが、約１４００ＭＨｚより低い周波数においては本発明にかかるシールドケース１のシールドの効果が最大約７ｄＢ向上していることが分かる。
図１５はシールドケース１，１００の正面における垂直偏波成分の不要放射電界強度を示している。図１５を参照すると、従来のシールドケース１００および本発明にかかるシールドケース１においては規定値である約３４ｄＢを満足しているが、約１９００ＭＨｚより低い周波数においては本発明にかかるシールドケース１のシールドの効果が最大約１２ｄＢ向上していることが分かる。
【００２４】
図１６はシールドケース１，１００の左面における水平偏波成分の不要放射電界強度を示している。図１６を参照すると、従来のシールドケース１００および本発明にかかるシールドケース１においては規定値である約３４ｄＢを満足しているが、約１５００ＭＨｚより低い周波数においては本発明にかかるシールドケース１のシールドの効果が最大約３ｄＢ向上していることが分かる。
図１７はシールドケース１，１００の左面における垂直偏波成分の不要放射電界強度を示している。図１７を参照すると、従来のシールドケース１００および本発明にかかるシールドケース１においては規定値である約３４ｄＢを満足しているが、約１８００ＭＨｚより低い周波数においては本発明にかかるシールドケース１のシールドの効果が最大約１３ｄＢ向上していることが分かる。
【００２５】
図１８はシールドケース１，１００の右面における水平偏波成分の不要放射電界強度を示している。図１８を参照すると、従来のシールドケース１００および本発明にかかるシールドケース１においては規定値である約３４ｄＢを満足しているが、約１５００ＭＨｚより低い周波数においては本発明にかかるシールドケース１のシールドの効果が最大約８ｄＢ向上していることが分かる。
図１９はシールドケース１，１００の右面における垂直偏波成分の不要放射電界強度を示している。図１７を参照すると、従来のシールドケース１００および本発明にかかるシールドケース１においては規定値である約３４ｄＢを満足しているが、約１６００ＭＨｚより低い周波数においては本発明にかかるシールドケース１のシールドの効果が最大約１０ｄＢ向上していることが分かる。
【００２６】
図２０はシールドケース１，１００の後面における水平偏波成分の不要放射電界強度を示している。図２０を参照すると、従来のシールドケース１００および本発明にかかるシールドケース１においては規定値である約３４ｄＢを満足しており、約１０００ＭＨｚの周辺および約２４００ＭＨｚの周辺の周波数においては本発明にかかるシールドケース１のシールドの効果が最大約２ｄＢ向上していることが分かる。
図２１はシールドケース１，１００の後面における垂直偏波成分の不要放射電界強度を示している。図２１を参照すると、従来のシールドケース１００および本発明にかかるシールドケース１において波規定値である約３４ｄＢを満足しているが、約１５００ＭＨｚより低い周波数においては本発明にかかるシールドケース１のシールドの効果が最大約１０ｄＢ向上していることが分かる。
【００２７】
図２２はシールドケース１，１００の上面における水平偏波成分の不要放射電界強度を示している。図２２を参照すると、従来のシールドケース１００および本発明にかかるシールドケース１においては規定値である約３４ｄＢを満足しているが、約１４００ＭＨｚより低い周波数においては本発明にかかるシールドケース１のシールドの効果が最大約３ｄＢ向上していることが分かる。
図２３はシールドケース１，１００の上面における垂直偏波成分の不要放射電界強度を示している。図２３を参照すると、従来のシールドケース１００および本発明にかかるシールドケース１においては規定値である約３４ｄＢを満足しているが、約１５００ＭＨｚより低い周波数および２０００ＭＨｚ近辺の周波数においては本発明にかかるシールドケース１のシールドの効果が最大約８ｄＢ向上していることが分かる。
【００２８】
図２４はシールドケース１，１００の下面における水平偏波成分の不要放射電界強度を示している。図２４を参照すると、従来のシールドケース１００および本発明にかかるシールドケース１においては規定値である約３４ｄＢを満足しているが、約１２００ＭＨｚより低い周波数および１９００ＭＨｚ近辺の周波数においては本発明にかかるシールドケース１のシールドの効果が最大約６ｄＢ向上していることが分かる。
図２５はシールドケース１，１００の下面における垂直偏波成分の不要放射電界強度を示している。図２５を参照すると、従来のシールドケース１００および本発明にかかるシールドケース１においては規定値である約３４ｄＢを満足しているが、約１３００ＭＨｚより低い周波数においては本発明にかかるシールドケース１のシールドの効果が最大約７ｄＢ向上していることが分かる。
【００２９】
本発明にかかるシールドケース１において、シールドの効果が向上するのは次の理由によるものと考えられる。蓋部を開口に圧入した際に、蓋部および開口が細長い形状とされていると、蓋部の中央部においては開口から浮き易くなる。そして、浮いた部分においては電気的接触が不安定となることから、シールドの効果が低下するものと考えられる。本発明にかかるシールドケース１においては、第１蓋部２０に設けた突起２０ｃを第１収納室１０の切欠１０ｇにカシメてカシメ部２２を形成すると共に、第２蓋部２１に設けた突起２０ｃを第２収納室１１の切欠１１ｂにカシメてカシメ部２３を形成している。これにより、第１蓋部２０および第２蓋部２１が第１収納室１０および第２収納室１１の開口から浮くことを防止することができ、電気的接触を安定化することができる。従って、本発明にかかるシールドケース１ではシールドの効果が向上することになる。
【産業上の利用可能性】
【００３０】
以上説明した本発明にかかるシールドケースにおいては、蓋部を開口に圧入した際に、開口から浮き易くなる部分、例えば長手方向のほぼ中央部分をカシメるようにしているが、蓋部や開口が細く長い場合は浮き易い部分が長手方向の中央部分に限らないことから、長手方向の複数の部分においてカシメるようにしても良い。また、蓋部や開口が正方形に近い形状とされていた場合は、全ての辺においてカシメるようにしても良い。また、以上説明したカシメ部は蓋部に設けた突起をカシメ代として、このカシメ代を開口に設けた切欠にカシメているが、このカシメ代の形状は矩形状に限らず種々の形状とすることができ、切欠の形状も矩形状に限らずカシメ代の形状に合わせた形状とすることができる。
以上の説明では、本発明のシールドケースは２つの出力端子を有していたが、これに限ることはなく出力端子数を１つあるいは３つとすることもできる。出力端子数を１つとした場合は基板に組まれる分配回路を省略することができ、出力端子数を３つとした場合は基板に組まれる分配回路で３分配すれば良い。
【符号の説明】
【００３１】
１  シールドケース、１０  第１収納室、１０ａ  壁部、１０ｂ  第１円筒部、１０ｃ  上部前面部、１０ｄ  挿入孔、１０ｅ  第２円筒部、１０ｆ  係合部、１０ｇ  切欠、１１  第２収納室、１１ａ  壁部、１１ｂ  切欠、１１ｃ  下部前面部、１１ｄ  第３円筒部、１１ｅ  挿入部、２０  第１蓋部、２０ａ  本体部、２０ｂ  突部、２０ｃ  突起、２１  第２蓋部、２１ａ  本体部、２１ｃ  突起、２２  カシメ部、２３  カシメ部、２４  入力端子、２５  第１出力端子、２６  第２出力端子、２７ａ  第１基板、２７ｂ  第２基板、１００  シールドケース、１１０  第１収納室、１１０ａ  壁部、１１０ｃ  上部前面部、１１０ｄ  挿入孔、１１０ｆ  係合部、１１１  第２収納室、１１１ａ  壁部、１１１ｃ  下部前面部、１１１ｅ  挿入部、１２０  第１蓋部、１２０ａ  本体部、１２０ｂ  突部、１２１  第２蓋部、１２１ａ  本体部、１２２  嵌合部、１２３  嵌合部、１２４  入力端子、１２５  第１出力端子、１２６  第２出力端子、１２７ａ  第１基板、１２７ｂ  第２基板
【図１】
2015088596.tif 000003
【図２】
2015088596.tif 000004
【図３】
2015088596.tif 000005
【図４】
2015088596.tif 000006
【図５】
2015088596.tif 000007
【図６】
2015088596.tif 000008
【図７】
2015088596.tif 000009
【図８】
2015088596.tif 000010
【図９】
2015088596.tif 000011
【図１０】
2015088596.tif 000012
【図１１】
2015088596.tif 000013
【図１２】
2015088596.tif 000014
【図１３】
2015088596.tif 000015
【図１４】
2015088596.tif 000016
【図１５】
2015088596.tif 000017
【図１６】
2015088596.tif 000018
【図１７】
2015088596.tif 000019
【図１８】
2015088596.tif 000020
【図１９】
2015088596.tif 000021
【図２０】
2015088596.tif 000022
【図２１】
2015088596.tif 000023
【図２２】
2015088596.tif 000024
【図２３】
2015088596.tif 000025
【図２４】
2015088596.tif 000026
【図２５】
2015088596.tif 000027
【図２６】
2015088596.tif 000028
【図２７】
2015088596.tif 000029
【図２８】
2015088596.tif 000030
【図２９】
2015088596.tif 000031
【図３０】
2015088596.tif 000032
【図３１】
2015088596.tif 000033